(57)【要約】  医療対象の目標部分の一部に医療モニタリング装置１４を配置するバンド１０が、提供される。バンド１０は、少なくとも１つのプラスチック層２８、繊維層及び可撓性ゴム層の少なくとも１つを含む可撓性バンド本体１２を含む。少なくとも１つの強磁性部分３０が、可撓性バンド本体１２の少なくとも第１の端部２２上に又は内に配置される。少なくとも１つの磁石２６が、第１の端部２２とは反対側の前記可撓性バンド本体の第２の端部２４上に又は内に配置される。可撓性バンド本体１２は、少なくとも１つの磁石２６及び少なくとも１つの強磁性部分３０が前記医療対象の目標部分に巻きつけられた可撓性バンド本体１２を固定するように磁気的に結合するように、第１及び第２の端部２２、２４が重複する状態で前記医療対象の目標部分に巻きつけるサイズである。
2018509215.tif 000002
【特許請求の範囲】
【請求項１】
医療対象の目標部分の一部に医療モニタリング装置を配置するバンドにおいて、前記バンドが、
少なくとも１つのプラスチック層、繊維層及び可撓性ゴム層の少なくとも１つを有する可撓性バンド本体と、
前記可撓性バンド本体の少なくとも第１の端部上に又は内に配置された少なくとも１つの強磁性部分と、
前記第１の端部とは反対側の前記可撓性バンド本体の第２の端部上に又は内に配置された少なくとも１つの磁石と、
を有し、
前記可撓性バンド本体は、前記少なくとも１つの磁石及び前記少なくとも１つの強磁性部分が前記医療対象の目標部分に巻きつけられた前記可撓性バンド本体を固定するように磁気的に結合するように、前記第１及び第２の端部が重複する状態で前記医療対象の目標部分に巻きつけるサイズである、
バンド。
【請求項２】
前記可撓性バンド本体が、少なくとも１つのポリウレタン層を有する、請求項１に記載のバンド。
【請求項３】
前記強磁性部分が、少なくとも前記第１の端部において前記可撓性バンド本体に埋め込まれた強磁性材料層を含む、請求項１及び２のいずれか一項に記載のバンド。
【請求項４】
前記可撓性バンド本体が、少なくとも１つのシリコーン層を含み、前記強磁性部分が、前記ベルトを導電性にし、これにより前記バンド本体を非静止にする、請求項１乃至３のいずれか一項に記載のバンド。
【請求項５】
前記可撓性バンド本体に配置又は形成され、前記医療モニタリング装置を受けるように構成され、呼吸可能部分を含む装置取り付け部分を含む、請求項１乃至４のいずれか一項に記載のバンド。
【請求項６】
前記バンドは、前記少なくとも１つの磁石と前記強磁性部分との間の磁気結合が前記医療対象の目標部分の周りの前記可撓性バンド本体の巻きつけの過剰なきつさを解放するように滑り効果を持つことにより、きつさを自己調整するように構成される、請求項１乃至５のいずれか一項に記載のバンド。
【請求項７】
前記少なくとも１つの磁石が、電磁石部分を含み、前記強磁性部分が、前記医療対象の目標部分の周りの前記可撓性バンド本体の巻きつけの過剰なきつさを解放するように前記可撓性バンド本体に印加される電圧を調節することにより制御される滑りを持ち、前記電磁石が、前記医療モニタリング装置及び緊急解放アルゴリズム入力に基づく解放機能を含む、請求項１乃至６のいずれか一項に記載のバンド。
【請求項８】
前記少なくとも１つの強磁性部分が、前記可撓性バンド本体の前記第１の端部に沿って配置された強磁性リベットを含む、請求項１乃至７のいずれか一項に記載のバンド。
【請求項９】
前記バンド本体の外面に配置された又は前記バンド本体内に埋め込まれた殺菌可能又は抗菌性コーティングを含む、請求項１乃至８のいずれか一項に記載のバンド。
【請求項１０】
前記バンド本体が、継ぎ目を持たず、これにより汚染を防ぐ、請求項１乃至９のいずれか一項に記載のバンド。
【請求項１１】
前記目標部分と前記バンド本体との間の経路を光及び／又は空気から密閉する遮蔽膜を含む、請求項１乃至１０のいずれか一項に記載のバンド。
【請求項１２】
医療対象の胸部に巻きつけるサイズである請求項１乃至１１のいずれか一項に記載のバンドと、
医療モニタリング装置であって、前記少なくとも１つの強磁性部分に対する装置取り付け磁石の磁気結合により前記医療モニタリング装置を前記バンド本体に固定するのに有効な前記装置取り付け磁石を含む加速度計ベースの呼吸モニタリング装置を有する、当該医療モニタリング装置と、
を有する呼吸モニタ。
【請求項１３】
医療対象の目標部分に医療モニタリング装置を配置するベルトにおいて、前記ベルトが、
可撓性かつ弾性材料を有するベルト本体と、
前記ベルト本体の少なくとも第１の端部上に又は内に配置された少なくとも１つの強磁性部分と、
前記ベルト本体の前記第１の端部から反対側の前記ベルト本体の第２の端部上に又は内に配置されたバックル磁石と、
を有し、
前記ベルト本体は、前記バックル磁石及び前記少なくとも１つの強磁性部分が前記医療対象の目標部分の周りで前記ベルトをバックル留めするように磁気的に結合するように、前記第１及び第２の端部が重複する状態で前記医療対象の目標部分に巻きつけるサイズである、
ベルト。
【請求項１４】
前記強磁性部分が、前記ベルト本体の少なくとも前記第１の端部に埋め込まれた強磁性材料層を含む、請求項１３に記載のベルト。
【請求項１５】
前記ベルトが、前記強磁性材料層に対する前記バックル磁石の磁気結合の滑りによって前記医療対象の目標部分の周りのきつさを自己調整するように構成される、請求項１３乃至１４のいずれか一項に記載のベルト。
【請求項１６】
前記少なくとも１つの強磁性部分が、少なくとも前記ベルト本体の前記第１の端部に沿って配置された強磁性リベットを含む、請求項１３乃至１５のいずれか一項に記載のベルト。
【請求項１７】
前記強磁性部分が、前記第１の端部及び前記第２の端部の両方を含む前記バンド本体の長さ全体に沿って延在する、請求項１３乃至１６のいずれか一項に記載のベルト。
【請求項１８】
前記バックル磁石が、前記ベルト本体の前記第２の端部上に又は内に配置された前記強磁性部分の磁化部分を有する、請求項１７に記載のベルト。
【請求項１９】
請求項１３乃至１８のいずれか一項に記載のベルトと、
前記ベルトに取り付けられ、少なくとも１つのバイタルサインをモニタする医療モニタリング装置と、
を有する医療モニタリングシステム。
【請求項２０】
前記医療モニタリング装置が、前記少なくとも１つの強磁性部分に対する装置取り付け磁石の磁気結合により前記ベルトに取り付けるように前記医療モニタリング装置を構成する前記装置取り付け磁石を含む、請求項１９に記載の医療モニタリングシステム。
【請求項２１】
前記医療モニタリング装置が、加速度計ベースの呼吸モニタリング装置を有し、前記ベルトは、前記バックル磁石及び前記少なくとも１つの強磁性部分が前記医療対象の胸部の周りで前記ベルトをバックル留めするように磁気的に結合するように、前記第１及び第２の端部が重複する状態で前記医療対象の胸部に巻きつけるサイズである、請求項１９及び２０のいずれか一項に記載の医療モニタリングシステム。
【請求項２２】
対象の胸部にベルトを巻きつけるステップと、
前記巻きつけられたベルトのバックル磁石と重複する部分の内に又は上に配置された強磁性材料に対して前記ベルトの一端に配置された前記バックル磁石を磁気的に結合することにより、前記対象の胸部に巻きつけられた前記ベルトを磁気的にバックル留めするステップと、
前記ベルトに取り付けられた呼吸モニタを使用して患者呼吸をモニタするステップと、
を有する呼吸モニタリング方法。
【請求項２３】
前記対象の胸部に巻きつけられた前記ベルトを磁気的にバックル留めした後に前記ベルトに前記呼吸モニタを取り付けるステップ、
を有する、請求項２２に記載の呼吸モニタリング方法。
【発明の詳細な説明】
【技術分野】
【０００１】
以下は、広くは、医療モニタリング装置、医療モニタリング装置配置システム、及び関連分野に関する。しかしながら、これは、他の使用シナリオにおいて応用を見つけ、必ずしも前述の応用に限定されないと理解されるべきである。
【背景技術】
【０００２】
発展途上国において、肺炎及び他の呼吸器疾患が流行しており、特に５歳未満の子供に対して、高い死亡率を持つ。呼吸、特に呼吸速度の迅速かつ正確な評価は、これらの疾患を評価するための重要な診断ツールである。従来、ホッケーパックサイズの加速度計ベースの呼吸モニタは、直接的に又はディスポーザブルポーチを使用してのいずれかで、接着剤で胸に取り付けられる。直接的に取り付けられる場合、前記装置は、患者の間で殺菌されなければならない。しかしながら、発展途上国において、ディスポーザブルポーチの供給及び滅菌装置の入手可能性の両方が、限定的であるかもしれない。
【０００３】
既存の呼吸モニタの実践に関する他の問題は、初期配置が、患者に不快感を引き起こすか、又は十分な呼吸信号を提供しない場合に、前記モニタがしばしば再配置されることを必要とすることである。これは、特に幼児及び若い子供に対する問題である。接着剤を用いる呼吸モニタの取り外し及び再取り付けは、問題である。
【発明の概要】
【発明が解決しようとする課題】
【０００４】
以下は、上記の問題等を克服する新しい改良された方法及びシステムを提供する。
【課題を解決するための手段】
【０００５】
呼吸モニタを患者、特に子供に取り付ける既知のシステム及び方法が欠陥を持つことは、認識されている。例えば、前記呼吸モニタは、ディスポーザブルポーチに配置されるべきであるか、又は前記患者に直接的に取り付けられる場合に、患者間で殺菌されるべきである。発展途上国において、しかしながら、ディスポーザブルポーチ及び殺菌機器の入手可能性は、限定的である。加えて、前記モニタは、しばしば、初期配置が患者に不快感を引き起こす又は十分な呼吸信号を提供しない場合に、再配置されることを必要とする。
【０００６】
様々な改良が、ここに開示される。
【０００７】
一部の実施例において、弾性磁気ベルト又はバンドが、医療モニタリング装置（例えば、加速度計ベースの呼吸モニタ）の配置のために設けられる。前記バンドは、ポリウレタン又は他の可撓性、弾性かつ容易に殺菌される材料で作られる。前記バンドの一端における磁石は、「バックル」として機能する。前記ベルトの残り（又は少なくとも前記バックル端部からのベルト遠位部の長さ）は、前記磁石バックルを磁気的に取り付けるのに有効な埋め込まれた又は分散された強磁性材料を持つ。前記患者の胸部の周りに前記ベルトを配置した後に、前記呼吸モニタリング装置は、接着剤を使用して、又は好適な実施例において前記モニタリング装置の裏側における磁石を使用してのいずれかで前記ベルトに取り付けられる。
【０００８】
このアプローチは、多くの利点を持つ。これは、「フリーサイズ（one size fits all）」の解決を提供する（小さな患者に対して、単にベルト「テイル」が残される）。磁気接続強度が、適切に選択される場合、前記ベルトは、きつさ（tightness）を自己調節することを提供する。例えば、これは、最初に、わずかにきつすぎる程度に胸部に巻きつけられることができ、前記磁石バックルの滑りが、所望のきつさまで緩めることを提供する。結果として、前記ベルト及び／又はモニタの再配置は、特に前記モニタが磁気的に前記ベルトに取り付けられる場合に、容易である。
【０００９】
前記ベルトは、有利には、（利用可能である場合に）容易に殺菌されることができ、汚染物質を捕らえることができ、二次汚染ルートとして機能する継ぎ目又は他のフィーチャを含まない。継ぎ目又は他の汚染物質トラップを更に減少させるために、前記磁石バックルは、継ぎ目又はコネクタなしで磁性を提供するように前記バックル端部において前記ベルト内に分散された磁性粒子を有してもよい。前記ベルトは、患者間で再使用されることができる。二次汚染問題に更に対処するために、前記ベルト材料内の分散ゼオライトのような、抗菌性分散剤又はコーティングが、前記ベルトに加えられることができる。
【００１０】
前記ベルトは、前記患者の皮膚に接触する必要がないので呼吸モニタに特に適している。しかしながら、前記ベルトは、他のタイプのバイタルサインセンサに対して使用されることができる。例えば、心拍／ＳｐＯ2モニタは、前記ベルトに磁気的に取り付けられ、前記ベルトの開口を介して光学的に結合されることができる。前記ベルトは、前記患者の胸部以外のサイズにされ、配置されることもできる。例えば、前記ベルトは、ヘッドバンド又はリストバンド等のように構成されることができる。他の考えられる変更は、前記埋め込まれた磁性材料を前記ベルトの長さに沿って離間された強磁性リベットで置き換えることができる。リベット設計に依存して、このアプローチは、継ぎ目を導入する可能性があるが、しかしながら、リベットは、前記磁性バックルが取り付けることができるコンパクトな量の強磁性材料を提供することに利点を持つ。開示された配置／保持ベルトは、（容易に「フリーサイズ」にされるので）子供及び大人の両方に対して使用されうる。
【００１１】
一態様によると、医療モニタリング装置を医療対象の目標部分の一部に配置するバンドが、提供される。前記バンドは、少なくとも１つのプラスチック層を含む可撓性バンド本体を含む。少なくとも１つの強磁性部分は、前記可撓性バンド本体の少なくとも第１の端部上に又は内に配置される。少なくとも１つの磁石が、前記第１の端部とは反対側の前記可撓性バンド本体の第２の端部上に又は内に配置される。前記可撓性バンド本体は、前記少なくとも１つの磁石及び少なくとも１つの強磁性部分が前記医療対象の目標部分に巻きつけられた前記可撓性バンド本体を固定するように磁気的に結合するように前記第１及び第２の端部が重複する状態で前記医療対象の目標部分に巻きつけるサイズである。
【００１２】
他の態様において、医療モニタリング装置１４を医療対象の目標部分に配置するベルト１０が、提供される。前記ベルトは、可撓性かつ弾性材料を含むベルト本体を含む。少なくとも１つの強磁性部分が、前記ベルト本体の少なくとも第２の端部上に又は内に配置される。バックル磁石は、前記ベルト本体の前記第１の端部とは反対側の前記ベルト本体の第２の端部上に又は内に配置される。前記ベルト本体は、前記バックル磁石及び前記少なくとも１つの強磁性部分が前記医療対象の目標部分の周りで前記ベルトをバックル留めするように前記第１及び第２の端部が重複する状態で前記医療対象の目標部分に巻きつけるサイズである。
【００１３】
他の態様によると、呼吸モニタリング方法が、提供される。ベルトが、対象の胸部に巻きつけられる。前記対象の胸部に巻きつけられた前記ベルトは、前記ベルトの一端に配置されたバックル磁石を、前記巻きつけられたベルトの前記バックル磁石に重複する部分の内に又は上に配置された強磁性材料と磁気的に結合させることにより磁気的にバックル留めされる。患者の呼吸は、前記ベルトに取り付けられた呼吸モニタを使用してモニタされる。
【００１４】
１つの利点は、いかなるサイズのユーザに対しても着用可能な医療モニタリング装置ベルトにある。
【００１５】
他の利点は、前記ユーザの周りできつさを自己調整する医療モニタリング装置ベルトにある。
【００１６】
他の利点は、継ぎ目又は汚染物質トラップが制限された又は除去された殺菌可能な医療モニタリング装置ベルトにある。
【００１７】
本開示の更に他の利点は、以下の詳細な記載を読み、理解すると当業者に理解される。
【００１８】
本開示は、様々なコンポーネント及びコンポーネントの構成、並びに様々なステップ及びステップの構成の形を取りうる。図面は、好適な実施例を説明する目的のみであり、本開示を限定するように解釈されるべきではない。
【図面の簡単な説明】
【００１９】
【図１】本開示の一実施例におけるバンドと通信する医療モニタリング装置を示す。
【図２】図１のバンドの一部の斜視図を示す。
【図３】本開示の他の実施例におけるバンドを示す。
【図４】図１のバンドの一例の使用を示す。
【発明を実施するための形態】
【００２０】
図１を参照すると、患者に対する取り付けのためのベルト又はバンド１０が、示される。ここで使用される場合に、用語「ベルト」は、患者の目標組織に巻きつけられ、固定されることができる着用可能装置を示す。用語「ベルト」及び「バンド」が、以下に記載されるように、ここで交換可能に使用されることができると理解される。更に、ここで使用される場合に、用語「目標組織」は、患者のいかなる所望の目標組織（例えば、胸部、腰、手首、上腕、脚部及び額等のような体部位の組織）を示す。図１に示されるように、バンド１０は、バンド又はベルト本体１２を含む。バンド本体１２は、一般に、長方形形状を持つが、他の形状が可能である（例えば、円形、三角形及び正方形等）。医療モニタリング装置１４は、装置取り付け場所又は部分１６においてバンド本体１２に取り付けられる。モニタリング装置１４は、例えば、バイタルサインモニタリング装置であってもよい。実施例において、モニタリング装置１４は、加速度計ベースの呼吸センサを使用して呼吸バイタルサインをモニタする。加えて又は代わりに、モニタリング装置１４は、光学ＳｐＯ2センサを使用して心拍及び／又は末梢血液酸素化のような、他のバイタルサインをモニタしてもよい。バンド本体１２は、調節及び患者快適性に対して十分に可撓性である。バンド１２は、弾性であってもよく、これは、呼吸モニタリングに対して張りつめたフィットを提供すること及び快適性に関して利益を持つが、しかしながら、非弾性ベルトも考えられる。図１に示されるように、バンド本体１２は、医療モニタリング装置１４（例えば、呼吸モニタリング装置、ＳｐＯ2センサ及び心拍モニタ等）を受けるように構成される。
【００２１】
そうするために、バンド本体１２は、バンド本体１２上に医療モニタリング装置１４を受け、保持するように装置取り付け部分１６を含む。装置取り付け部分１６は、例示的な図１において、医療モニタリング装置１４の形状に対応する輪郭（例えば、受け取りくぼみ）により輪郭を描かれる。オプションとして、装置取り付け部分１６は、医療モニタリング装置１４の一部を受け取るベルト本体１２内の開口部又はへこみ（図示されない）を含む。他の例において、装置取り付け部分１６は、医療モニタリング装置１４の一部を受け取る突出部（図示されない）を含む。医療モニタリング装置１４は、装置取り付け部分１６にしっかりと取り付けられるように構成される。一例において、装置取り付け部分１６に配置された磁石１８は、医療モニタリング装置１４に配置された層と取り付け磁石２０に対する磁気的引力のために構成される。他の例において、医療モニタリング装置１４は、接着剤（図示されない）で装置取り付け部分１６に取り付けられる。一部の実施例において、バンド本体１２は、いかなる規定された装置取り付け部分１６も含まず、医療モニタリング装置１４は、接着剤又は取り付け磁石等を使用してベルト１２の長さに沿ったどこにでも取り付けられうる。他の考えられる変形例として、バンド本体１２は、いかなる規定された装置取り付け部分も含まず、医療モニタリング装置１４は、取り付け磁石を使用して、強磁性材料を含むベルト１２の長さの大部分に沿ったどこにでも取り付けられうる。他の例において、装置取り付け部分１６は、余分な湿気が前記医療対象の目標部分から離れるように輸送されるように呼吸可能材料から作られることができる。
【００２２】
バンド本体１２は、第１の端部２２及び反対側に配置された第２の端部２４を含む。少なくとも１つの磁石２６が、第２の端部２４に配置される。図示されるように、磁石２６は正方形であるが、他の形状が可能である（例えば、円形及び三角形等）。１より多い磁石２６が第２の端部２４に配置されることができると理解される。磁石２６は、より詳細に以下に記載されるように、第１の端部２２の一部に磁気的に係合するように構成される（すなわち、磁石２６が、ベルト１２に対する磁気的「バックル」として機能する）。
【００２３】
図２は、磁気的バックル２６が係合する強磁性材料を提供するようにバンド又はベルト本体１２の一部の実例的な考えられる構成を描く。図２は、バンド本体１２の一例の内部実施例を示すように断面部分をも含む。図２は、バンド１０の一実施例内のベルト本体１２の複数の外部及び内部層を示すように描かれるが、（より詳細に以下に記載される）材料の外部及び内部層のいかなる組み合わせも、ベルト本体１２を製造するのに使用されることができると理解される。図２に示されるように、バンド本体１２は、材料の１以上の層で作られる。一部の例において、バンド本体１２は、少なくとも１つのプラスチック層２８（ポリエチレン、ポリウレタン、及びポリプロピレン等）から作られる。例えば、一実施例において、バンド本体１２は、全体的に１以上のポリウレタン層２８'から作られる。他の例において、バンド本体１２は、１以上のシリコーン層（図示されない）から作られる。他の例において、バンド本体１２は、適切な弾性材料（例えば、繊維層、及び可撓性ゴム層等）から作られる。より一般的には、バンド１２は、（ここに記載されるように、埋め込まれた磁性材料、例えば、埋め込まれた磁性粒子、又は固定されたリベット等を持つが）非磁性材料で作られる。
【００２４】
他の実施例において、バンド本体１２は、その一部に配置された少なくとも１つの強磁性部分３０を含む。例えば、一実施例において、バンド本体１２は、埋め込まれた少なくとも１つの強磁性層３０'を含む。一実施例において、強磁性層３０'は、プラスチック層２８の上（又は下）に置かれることができる。他の実施例において、強磁性層３０'は、プラスチック層２８と混合される又は埋め込まれる。他の実施例において、バンド本体１２が、シリコーン層から作られる場合、強磁性部分３０は、強磁性粒子を含むことができ、これは、バンド１０を導電性にし、これにより非静止にする。結果として、集塵は、有利には、バンド１０において実質的に減少される。有利には、強磁性層３０'は、（磁気的引力により）磁石２６と係合するように構成され、これにより前記患者の目標組織にバンド１０を巻きつけるように第１及び第２の端部２２及び２４を接続する。
【００２５】
一般に、ベルト１０の一端２２は、永久磁石２６を含むのに対し、反対側２４は、少なくとも胸部サイズの考えられる範囲に適合する量のベルトフィット調節可能性を提供するのに十分に当該端部の長さに沿って延在する磁化されていない強磁性材料３０を含む。一部の例において、少なくとも１つの磁石２６は、電磁石部分を含む。一部の実施例において、ベルト１０全体が、磁性材料層３０を埋め込まれる又は他の形で含む。磁性材料層３０は、好ましくは、鉄、鉄合金、鋼、ニッケル、又はニッケル合金等のような強磁性材料である。磁気バックル２６は、永久磁石鋼、セラミック又はフェライト磁石、又は希土類磁石（例えば、サマリウム‐コバルト又はネオジム‐鉄‐ホウ素磁石）等でありうる。磁石２６は、コスト及び所望の磁気結合強度のような要因に基づいて適切に選択される。例えば、鋼磁石は、低コストの傾向にあるのに対し、希土類磁石は、より高価であるが、より強力である傾向にある。
【００２６】
磁気バックル２６と強磁性材料３０、３０'、３０"との間の磁気結合の強度は、磁気バックル２６を形成する磁石の強度、強磁性材料３０、３０'、３０"の密度、及び磁石２６と強磁性材料３０、３０'、３０"との間の介在する非磁性材料（存在する場合）の範囲のような要因により決定される。磁石２６と強磁性材料３０、３０'、３０"との間の直接接触は、最も強力な結合を提供するが、ベルト本体１２の表面において殺菌を容易化し、汚染物質トラップを避けるために、強磁性材料３０、３０'、３０"及び／又は磁石２６をベルト本体１２の材料の中に埋め込むことは、有利でありえ、これは、幾らかの介在するプラスチック又は他の介在する非磁性材料をもたらす。いくらかの非磁性介在材料を持つことは、有益には、ここで他の場所に記載されるように特定の実施例のきつさを自己調節するフィーチャを可能にするように前記結合の滑りを向上させることができる。磁石２６が電磁石部分を含む例において、強磁性部分３０は、前記医療対象の目標部分の周りの可撓性バンド本体１２の巻きつけの過剰なきつさを解放するように可撓性バンド本体１２に印加される電圧を調節することにより制御される滑りを持つ。例えば、電磁石２６は、医療モニタリング加速度計装置１４及び緊急解放アルゴリズム入力（図示されない）に基づく解放機能を含む。
【００２７】
有利には、プラスチック層２８内に強磁性層３０を埋め込むことにより、バンド本体１２は、継ぎ目を持たず、これによりバンド又はベルト１０の汚染を防ぐ。
【００２８】
他の態様において、ベルト本体１２は、潜在的な汚染を更に防ぐように殺菌可能及び／又は抗菌性フィーチャ３２を含むことができる。一例において、図２に示されるように、フィーチャ３２は、ベルト本体１２の外面３４に配置された殺菌可能及び／又は抗菌性コーティング３２'を含む。ベルト本体１２の一部を覆うのみのものとして図２に概略的に示されるように、殺菌可能及び／又は抗菌性コーティング３２'は、殺菌を容易化する及び／又は微生物汚染を抑制するように実質的にバンド本体１２の外面３４全体を覆うと理解される。他の例において、殺菌可能及び／又は抗菌性フィーチャ３２は、バンド本体１２内に埋め込まれた殺菌可能材料又は抗菌剤層３２"を含む。殺菌可能及び／又は抗菌性フィーチャ３２は、加熱殺菌を容易化する耐熱コーティング、化学殺菌を可能にする耐薬品層、又はゼオライトのような抗菌剤のようないかなる適切な材料も含むことができる。
【００２９】
一部の例において、バンド本体１２は、医療モニタリング装置１４による（例えば、ＳｐＯ2又は温度の）測定中に光及び／又は空気から前記医療対象とバンド本体１２との間の経路を密閉する一体化された遮蔽膜３６を含む。他の例において、バンド本体１２は、遮蔽膜３６なしで（すなわち、バンド本体１２のみで）このような密閉を提供することができる。図３は、バンド１０の代替実施例を示す。この実施例において、強磁性層３０'は、１以上の強磁性リベット部分３０"と置き換えられている。強磁性、例えば、ステンレス鋼リベット３０"は、露出され、バンド本体１２の長さに沿って離間される。図示されるように、リベット３０"は、一般に、楕円形状を持つが、他の形状が可能である（例えば、円形、長方形及び正方形等）。リベット３０"は、磁石２６と係合するように磁性材料で作られる。リベット３０"は、バンド１０がいかなるサイズの患者にもフィットすることができるように（すなわち、ベルトノッチが機能するのと同様に）、バンド本体１２の異なる「サイズ」を有利に提供するように前記ベルトに沿って離間される。
【００３０】
図４に示されるように、ベルト又はバンド１０は、前記患者の胸部に固定される。そうするために、ベルト本体１２は、第１及び第２の端部２２及び２４の各々の部分が互いに重複するまで前記患者の目標組織（この例において胸部）に巻きつけられる。磁石２６は、この場合、ベルト１０を前記患者に固定するように強磁性部分３０（例えば強磁性層３０'又は強磁性リベット３０"）と係合する。有利には、ベルト１０は、前記患者の周りのきつさを自己調節するように構成される。一例において、ベルト１０は、わずかにきつすぎるように前記目標組織（例えば、胸部）に巻きつけられることができる。このきつさは、磁石２６の滑りを引き起こし、これにより（例えば、磁石２６に沿った第１の端部２２の滑りの間に）所望のきつさまでベルト１０を緩めることを提供する。他の形で、磁気バックル２６と強磁性材料３０、３０'、３０"との間の磁気結合の強度は、バックル留めされた前記ベルトのきつさに対するリミッタとして機能する。一部の実施例において、ベルト１２は弾性であり、これは、前記ベルトが所望のフィットきつさまで弾性的に広がることを可能にする。ベルト１２の弾性は、有利には、呼吸中の胸部拡張及び収縮に適合する。磁気的に締められたベルト１０の制御されるきつさは、正確な呼吸測定を容易化する。
【００３１】
呼吸測定に対する配置を完了するために、医療モニタリング装置１４は、例えば、規定されているのであれば指定された装置取り付け場所１６において、又は例えば前記ベルトが長さ全体に沿って磁性材料３０を埋め込まれ、モニタリング装置１４が例示的な装置取り付け磁石２０を含む場合にベルト１０に沿ったどこでも、ベルト１０に固定される。加速度計ベースの呼吸モニタリング装置１４の例において、モニタリング装置１４は、有利には、前記患者の周りに固定されたベルト１０が呼吸胸部運動とともに移動する（例えば、弾性ベルトの場合に拡張及び収縮する）限り、前記患者に直接的に接触する必要がない。開示されたアプローチは、他のタイプのモニタにも適しており、例えば、光学ベースのＳｐＯ2（オキシメータ）モニタは、ベルト１０の開口を通って前記患者の皮膚を照射する光源を同様に取り付けられてもよい。（この場合、前記オキシメータモニタは、このような開口と整列するように特定の装置取り付け位置１６において取り付けられる必要がある）。前記患者の皮膚との物理的接触を使用するセンサも考えられ、この場合、接触は、再び、適切にベルト１０の開口を通る。
【００３２】
加えて、前記ベルトの、又は前記ベルトに対する前記モニタリング装置の再配置は、容易である。他の例において、磁石２６は、強磁性部分３０（例えば、強磁性層３０'又は強磁性リベット３０"）から外されうる。磁石２６は、きつすぎる、緩すぎる、及び前記患者がバンド１０を着用している間に物体にぶつかることにより強磁性部分３０から外されることができる。ベルト１０は、ベルト１０を適宜にきつくする又は緩めるように磁石２６に向けて又は離れるように第２の端部２４（すなわち、磁石２６）を移動することにより調節されることができる。医療モニタリング装置１４は、ベルト１０が前記患者に固定される前又は後に装置取り付け部分１６に固定されることができると理解される。
【００３３】
本発明は、好適な実施例を参照して記載されている。修正及び変更は、先行する詳細な記載を読み、理解すると他者が思いつきうる。本発明が、添付の請求項又は同等物の範囲に入る限り全てのこのような修正及び変形を含むと解釈されることが意図される。
【図１】
2018509215.tif 000003
【図２】
2018509215.tif 000004
【図３】
2018509215.tif 000005
【図４】
2018509215.tif 000006
【国際調査報告】
2018509215.tif 000007
2018509215.tif 000008
2018509215.tif 000009